(57)【要約】【課題】  階段等の手摺に使用される表示装置であって、設置作業の負担の軽減を図ることが出来る表示装置を提供する。【解決手段】  手摺１に配置されるブラケット２００であって、このブラケット２００には、手摺部材１００を支持するブラケット本体部２０１が備えられ、この本体部２０１には、発光ダイオードである発光部材２１１と、太陽電池２２０と、太陽電池から供給される電気を充電する充電器２３１とが具備され、太陽電池２２０からの電気が充電器２３１を介して発光部材２１１へ供給されることにより、発光部材２１１が発光する。【選択図】      図１
2004339924.tif 000002
【特許請求の範囲】
【請求項１】
壁面に取り付けられた状態で手摺部材を支持するブラケットを備えた手摺に配置される手摺用表示装置であって、
前記ブラケットに発光部材及び太陽電池が組み込まれ、
前記太陽電池から前記発光部材へ電気が供給されることにより前記発光部材が発光する
ことを特徴とする手摺用表示装置。
【請求項２】
前記ブラケットに充電部が具備され、前記太陽電池から供給される電気は、前記充電部を介して前記発光部材へと供給されることを特徴とする請求項１記載の手摺用表示装置。
【請求項３】
前記ブラケットにはセンサ部が具備され、前記センサ部で手摺周辺部の明るさを感知して所定の明るさ以下である場合にのみ前記発光部材へ電気が供給されることを特徴とする請求項１又は２記載の手摺用表示装置。
【請求項４】
前記ブラケットは、中空部を有するブラケット本体と、中空部を覆う蓋部とを備え、前記蓋部外面には太陽電池が設置され、前記中空部には前記発光部材及びセンサ部が配置されていることを特徴とする請求項１乃至３のいずれかに記載の手摺用表示装置。
【請求項５】
前記発光部材が発光ダイオードであることを特徴とする請求項１乃至４のいずれかに記載の手摺用表示装置。
【発明の詳細な説明】
【技術分野】
【０００１】
本発明は、手摺に配置される手摺用表示装置である。
【背景技術】
【０００２】
従来、夜間等において手摺の位置を示す表示装置としては、特許文献１記載のようなものが存在する。この表示装置は、壁面より突設された複数のブラケットに各々電球等の発光体が具備され、このブラケットの上部に手摺棒が支持されている。この手摺棒の下部には、手摺本体棒の長さ方向に亘って溝が設けられ、この溝の内部には、前記の表示装置と外部電源とを接続し、これらの表示装置に電気を供給する供給線が配設されている。
【特許文献１】特許２６８８３３５号公報明細書
【発明の開示】
【発明が解決しようとする課題】
【０００３】
前記の表示装置においては、外部から電源を供給する供給線を配設する必要があるため、ブラケットの設置作業の際、配線作業を施す必要があり、その分の手間が必要であった。
【０００４】
本発明は、階段等の手摺に使用される表示装置であって、設置作業の負担の軽減を図ることが出来る表示装置を供給することを目的とする。
【課題を解決するための手段】
【０００５】
本発明は、壁面に取り付けられた状態で手摺部材を支持するブラケットを備えた手摺に配置される手摺用表示装置であって、上記ブラケットに発光部材及び太陽電池が組み込まれ、前記太陽電池から前記発光部材へ電気が供給されることにより前記発光部材が発光するものである。
【０００６】
この表示装置を用いると、前記ブラケットに発光部材及び太陽電池が組み込まれているため、前記発光部材を発光させるとき、前記太陽電池から電気を供給することが出来る。したがって、ブラケット外部から電気を供給する必要がなく、ブラケット設置の際に配線を施す必要がない。よって、設置作業の負担の軽減を図ることが出来る。
【０００７】
さらに、電源として太陽電池を使用して発光部材に電気を供給するため、電源として乾電池等を用いる場合のように、定期的に電源を交換する必要がなく、メンテナンス作業の負担が軽減される。また、乾電池等の電源を浪費することも無くなり、資源を有効活用する上でも好ましい。
【０００８】
請求項２記載の発明は、前記ブラケットに充電部が具備され、前記太陽電池から供給される電気が、前記充電部を介して前記発光部材へと供給されるものである。この構成では、前記太陽電池により発電された電気は一度充電部に充電され、この充電部から前記発光部材へ電気が供給されるため、太陽電池に供給される光量に直接依存せず、安定した電気量を前記発光部材に供給することが出来る。
【０００９】
なお、請求項３記載の発明のように、前記ブラケットにはセンサ部が具備され、前記センサ部で手摺周辺部の明るさを感知して所定の明るさ以下である場合にのみ前記発光部材へ電気が供給される構成とすると、不必要に電気を消費することが回避される。
【００１０】
また、請求項４記載の発明のように、前記ブラケットに、中空部を有するブラケット本体と、中空部を覆う蓋部とを備え、前記蓋部外面には太陽電池が設置され、前記中空部には前記発光部材及びセンサ部が配置されているようにすると、この表示装置全体の大きさを小さくすることが出来る。
【００１１】
なお、前記構成に使用する発光部材としては、請求項５記載のように発光ダイオードを使用すると、発光部材に供給する電気量を少なくすることが出来、より安定した状態で発光させることが出来る。
【発明の効果】
【００１２】
以上のように本発明の表示装置を用いると、前記発光部材を発光させるとき、前記太陽電池から電気を供給することが出来るため、ブラケット外部から電気を供給する必要がなく、表示装置を設置する際に配線作業を施す必要がない。したがって、設置作業の負担の軽減を図ることが出来る。
【００１３】
さらに、電源として太陽電池を使用して発光部材に電気を供給するため、電源として乾電池等を用いる場合のように、定期的に電源を交換する必要がなく、メンテナンス作業の負担が軽減される。また、乾電池等の電源を浪費することも無くなり、資源を有効活用することが可能となる。
【発明を実施するための最良の形態】
【００１４】
本発明の実施形態について、図１を用いて説明する。ただし、本発明は以下の実施形態に限定されることはない。
【００１５】
本実施形態では、手摺１として手摺部材１００とブラケット２００とを備えている。ブラケット２００は、ブラケット本体部２０１と、この本体部２０１に具備される蓋部２０３及び内部支持板２０５を備えている。ブラケット本体部２０１は、壁Ｗに接着される壁面接着部２０１ａと、手摺部材１００と接触して手摺部材１００を支持する手摺支持部２０１ｂとを備えている。ブラケット本体部２０１の内部は、内部支持板２０５を収納するため中空部２０１ｃが形成され、この中空部２０１ｃの一部は、開口されている。また、この開口部分は、蓋部２０３が嵌着することにより塞がれる。なお、手摺部材１００は、特定方向に延びる棒状、板状等に形成されたものである。
【００１６】
前記ブラケット２００には、表示装置が組み込まれており、この表示装置は次のような構造となっている。
【００１７】
蓋部２０３には、この内面の略中央部分に発光部材受け２１３が形成され、その発光部材受け２１３に発光部材２１１が取り付けられている。すなわち、蓋部２０３が前記中空部２０１ｃの開口部分に嵌着されると、発光部材２１１は、中空部２０１ｃ内に収納される。また、蓋部２０３の外面の上半分には、太陽電池２２０が備えられている。なお、蓋部２０３の下半分２０３ａは、光透過性を有する樹脂板であり、内面に備えられた発光部材２１１から発する光を透過する。発光部材２１１には、主に発光ダイオード等のような比較的省電力のものが使用される。
【００１８】
内部支持板２０５は、充電器２３１と、センサ２３３と、センサ用電源２３５とを備えており、ブラケット本体部２０１の中空部２０１ｃ内に収納される。
【００１９】
充電器２３１は、太陽電池２２０から発光部材２１１に至る電気回路（図示せず）に接続され、太陽電池２２０で発電された電気を充電し、必要に応じて発光部材２１１に電気を供給する。
【００２０】
センサ２３３は、前記電気回路において、充電器２３１と発光部材２１１との間に配置される。このセンサ２３３は、手摺１周辺の明るさを感知し、予め設定された所定の明るさ以下であることを感知したときのみ充電器２３１から発光部材２１１へ電気が流れる。なお、センサ用電源２３５はセンサ２３３を作動させるための電源であって、本実施形態ではボタン型電池を用いている。
【００２１】
この表示装置は、ブラケット２００に太陽電池２２０及び発光部材２１１が具備されており、太陽電池２２０から電気を供給することにより発光部材２１１を発光させることが出来るため、ブラケット２００外部から電気を供給する必要がなく発光部材２１１を発光させることが出来る。したがって、ブラケット２００設置の際に手摺部材１００に配線を施す必要がなく、設置作業の負担の軽減を図ることが出来る。
【００２２】
さらに、電源として太陽電池２２０を使用して発光部材２１１に電気を供給するため、電源として乾電池等を用いる場合のように、定期的に電源を交換する必要がなく、メンテナンス作業の負担が軽減される。また、乾電池等の電源を浪費することも無くなり、資源を有効活用する上でも好ましい。
【００２３】
また、太陽電池２２０から供給される電気は、一度充電器２３１で充電され、必要に応じて発光部材２１１に電気が供給されるため、発光部材２１１に供給される電気は太陽電池２２０の発電量に直接依存することはない。したがって、手摺１周辺が暗いときのように太陽電池２２０から充分な発電量を得ることが出来ない場合においても、安定した電気量を発光部材２１１に供給することが出来る。
【００２４】
なお、手摺１周辺の明るさ及び手摺部材１００にかかる圧力を感知可能なセンサ２３３を備えているため、表示を必要としない時においては発光部材２１１を発光しない状態とすることが可能となり、不必要に電気を消費することを抑止できる。
【００２５】
また、ブラケット本体部２０１に蓋部２０３を嵌着させた状態では、発光部材２１１及びセンサ２３３等の部品が中空部２０１ｃ内に組み込まれる状態となるため、この表示装置全体の大きさを小さくすることが出来る。
【００２６】
その他実施形態
以下の実施形態において、第１実施形態と同一部分には同一符号を付して示し、その重複説明を省略する。
【００２７】
（１）  発光部材２１１は必ずしも発光ダイオードである必要はない。太陽電池２２０から発生される電気のみで発光可能であれば電球等でもよい。しかしながら、本発明のようにブラケット２００の外部から電気を供給しない形態においては、発光部材２１１を安定した状態で発光させるためには、発光部材２１１の消費電力を少なくする必要がある。したがって、発光部材２１１として発光ダイオードを用いるほうが消費電力を少なくすることが出来、より安定して発光させる為にはより好ましい。
【００２８】
（２）  内部支持板２０５に振動を感知する振動センサを設け、手摺１に一定の振動が加わった時、すなわち、手摺部材１００に手を掛けた時のみに電気が流れるようにしてもよい。この構成を採ると、不必要な時に電気が消費されることを抑止出来る。また、ブラケット本体部２０１と手摺部材１００とが接触する部分に感圧センサを設置し、手摺部材１００に一定の圧力がかかった時のみに発光部材２１１に電気が流れるようにしても同様の効果を得られる。
【００２９】
（３）  センサ用電源２３５は、必ずしも、ボタン型電池を使用する必要はなく、通常の乾電池を用いてもよい。また、センサ用電源２３５を設ける代わりに、太陽電池２２０又は充電器２３１からセンサ２３３に電気を供給するようにしてもよい。
【図面の簡単な説明】
【００３０】
【図１】本発明の一実施形態の概要図である。
【符号の説明】
【００３１】
１  手摺
１００  手摺部材
２００  ブラケット
２０１  ブラケット本体部（ブラケット本体）
２０１ｃ  中空部
２０３  蓋部
２１１  発光部材
２２０  太陽電池
２３１  充電器（充電部）
２３３  センサ（センサ部）
【図１】
2004339924.tif 000003